(57)【要約】【課題】  物品の出し入れを容易にして、使用の便を図った中仕切りフィルム付き合成樹脂製袋体を提供することにある。【解決手段】  合成樹脂製袋体１００は、熱接着性胴部フィルム１０２，１０４、熱接着性横ガゼット１０６，１０６、熱接着性中仕切りフィルム１０８、チャック付きシールテープ１１０，１１２より構成される。胴部フィルム１０２，１０４の間には、横ガゼット１０６，１０６と中仕切りフィルム１０８が積層状に配置される。横ガゼット１０６，１０６の上縁は、シールテープ１１０によって一方の胴部フィルム１０２に接着される。中仕切りフィルム１０８は側縁及び底縁が少なくとも他方の胴部フィルム１０４に接着される。袋体１００の開口部から副収納部１２０の開口部１２２にアクセスが容易であり、副収納部の物品の出入が容易となる。【選択図】  図２
2005170485.tif 000002
【特許請求の範囲】
【請求項１】
熱接着性の表裏の胴部フィルムと、  前記胴部フィルムの上縁から離間し、底縁とそれぞれの側縁が前記表裏の胴部フィルムに接着される一対の熱接着性の横ガゼットと、前記一対の横ガゼットの上縁を一方の胴部フィルムに寄せて接着するシールテープとを備えた合成樹脂製袋体において、
他方の胴部フィルムと一対の横ガゼットとの間に挟挿され、側縁及び底縁が少なくとも他方の胴部フィルムに接着されている熱接着性の中仕切りフィルムを備え、
他方の胴部フィルムと中仕切りフィルムとの間で、上方に向う開口部を形成した副収納部を設けたことを特徴とする、合成樹脂製袋体。
【請求項２】
前記副収納部の開口部の開口端が、一方の胴部フィルムを寄せて接着する前記シールテープの下縁近傍に位置する、請求項１記載の合成樹脂製袋体。
【請求項３】
前記副収納部の開口部の開口端が、一方の胴部フィルムを寄せて接着する前記シールテープの接着下端より上方に位置する、請求項１記載の合成樹脂製袋体。
【請求項４】
前記中仕切りフィルムが上縁で他方の胴部フィルムに接着されており、前記中仕切りフィルムに開口部の開口端を形成するための幅方向の開封線を設けた、請求項２又は請求項３に記載の合成樹脂製袋体。
【請求項５】
前記中仕切りフィルムが、一方の胴部フィルム及び横ガゼット側の高融点のフィルム層と他方の胴部フィルム側の低融点のフィルム層を備えている、請求項１乃至４のいずれかに記載の合成樹脂製袋体。
【請求項６】
前記シールテープが雄型チャックと雌型チャックの一方を有するチャック付きシールテープであり、他方の胴部フィルムには前記雄型チャックと雌型チャックの一方と咬合可能に雌型チャック又は雄型チャックを有するチャック付きシールテープが一体化されている、請求項１乃至５のいずれかに記載の合成樹脂製袋体。
【請求項７】
前記シールテープの上方において、雄型チャックと雌型チャックとがそれぞれ表裏の胴部フィルムに接着されて咬合可能となっている、請求項１乃至５のいずれかに記載の合成樹脂製袋体。
【発明の詳細な説明】
【技術分野】
【０００１】
本発明は、収納容積を拡大させる横ガゼットを備えた合成樹脂製袋体において、主収納部と分離した副収納部を形成する中仕切りフィルムを備えた合成樹脂製袋体に関する。より詳細には、本発明は、副収納部への物品の投入、及び、副収納部からの物品の取出が容易となるように中仕切りフィルムを設けた合成樹脂製袋体に関する。
【背景技術】
【０００２】
袋体における横ガゼットは、物品収納時において表裏の胴部フィルムを表裏方向に膨出変形させ、収納容積を拡大させるために用いられている。横ガゼットは、表裏の胴部フィルムの両サイドに備えられ、それぞれの胴部フィルムに接着される（例えば、特許文献１乃至特許文献３参照）。
【０００３】
袋体における中仕切りフィルムは、例えば、
（１）一方の収納部（主収納部）に内容物を収納し、他方の収納部（副収納部）に乾燥剤や脱酸素剤を収納して内容物の保存性を高めるため、
（２）一方の収納部（主収納部）にラーメンなど食品を収納し、他方の収納部（副収納部）に調味料や具を収納する等、異種物品を同一袋体内に区分して収納するため、
（３）一方の収納部（主収納部）に内容物を収納し、他方の収納部（副収納部）に説明書や仕様書を収納するため、に用いられている。中仕切りフィルムは、表裏の胴部フィルムに接着され、主収納部と区画された副収納部を形成する（例えば、特許文献４乃至特許文献６参照）。
【０００４】
【特許文献１】特公平１−１４１０３号公報
【特許文献２】特開平８−３４４５０号公報
【特許文献３】特開平９−２１６６４２号公報
【特許文献４】実公昭５７−３０２９８号公報
【特許文献５】実公昭５８−４５２５８号公報
【特許文献６】実公平２−４８３６２号公報
【発明の開示】
【発明が解決しようとする課題】
【０００５】
しかしながら、横ガゼットと中仕切りフィルムとの両方を備えた袋体はない。その理由を考えると、横ガゼットを備えた袋体に中仕切りフィルムを備えるとなると、中仕切りフィルムを備える領域、接着箇所、接着する合せ面及び組合せ順序に配慮しなければ、破袋を生じたり、余計な工数を要したりする。
図６は、仮想的に横ガゼットと中仕切りフィルムとの両方を備えた袋体３００を示す斜視図である。主収納部３０２に物品を入れると、副収納部３０４の位置によっては、主収納部３０２の物品自体によって副収納部３０４の開口部３０６が塞がれる。このような場合、主収納部３０２の物品が邪魔になって、副収納部３０４への物品の投入、及び、副収納部からの物品の取出が困難である。そればかりか、主収納部３０２の物品が副収納部３０４混入するという問題も生じる。  さらに、主収納部３０２に物品を入れると、横ガゼット３０８，３０８により表裏の胴部フィルム３１０，３１２が表裏方向に膨出変形する。主収納部３０２の物品によって中仕切りフィルム３１４が胴部フィルム３１０（３１２）に向って押圧される結果、中仕切りフィルム３１４及びこれが設けられた胴部フィルム３１０（３１２）が一体となって曲面状に変形し、副収納部３０４の開口部３０６を開くことすらできず、副収納部３０４への物品の投入、及び、副収納部３０４からの物品の取出が一層困難になる問題がある。
【０００６】
本発明の目的は、横ガゼットを備えた袋体において、中仕切りフィルムによって所定の部位に副収納部を形成し、使用の便を図った合成樹脂製袋体を提供することにある。
本発明の他の目的は、前記合成樹脂製袋体において、物品の出し入れを容易にした合成樹脂製袋体を提供することにある。
【課題を解決するための手段】
【０００７】
本発明は、
熱接着性の表裏の胴部フィルムと、
前記胴部フィルムの上縁から離間し、底縁とそれぞれの側縁が前記表裏の胴部フィルムに接着される一対の熱接着性の横ガゼットと、
前記一対の横ガゼットの上縁を一方の胴部フィルムに寄せて接着するシールテープとを備えた合成樹脂製袋体において、
他方の胴部フィルムと一対の横ガゼットとの間に挟挿され、側縁及び底縁が少なくとも他方の胴部フィルムに接着されている熱接着性の中仕切りフィルムを備え、
他方の胴部フィルムと中仕切りフィルムとの間で、上方に向う開口部を形成した副収納部を設けた合成樹脂製袋体により前記課題を解決した。
【０００８】
上記のように構成することで、横ガゼットがシールテープで接着されていない他方の胴部フィルムと中仕切りフィルムとの間に副収納部が形成される。合成樹脂製袋体の上部を開口したとき、横ガゼットはシールテープによって一方の胴部フィルムに寄せられているので、収納容積を拡大させる横ガゼットを備えているにもかかわらず、副収納部への物品の投入、及び、副収納部からの物品の取出が容易となる。
さらに、副収納部は上方に向う開口部を形成している。副収納部への物品の投入、及び、副収納部からの物品の取出は開口部を介して行われる。合成樹脂製袋体内に物品が収納された状態においては、中仕切りフィルムが物品によって他方の胴部フィルム側に押圧されている。副収納部の開口部の位置によっては、物品によって副収納部への物品の投入、及び、副収納部からの物品の取出が困難となる。本発明では、開口部が上方に向うように副収納部を形成したので、副収納部への物品の投入、及び、副収納部からの物品の取出が容易となる。
【０００９】
なお、中仕切りフィルム及び副収納部の構成として、中仕切りフィルムの底縁及びそれぞれの側縁を他方の胴部フィルムに接着し、上端を解放させることで開口部を形成する場合に加え、中仕切りフィルムの底縁及びそれぞれの側縁、さらには、上縁を他方の胴部フィルムに接着し、中仕切りフィルムに開封線を形成し、その開封線に沿って開封して開口部を形成する場合がある。後者の場合において、開口部が上方を向くように、開封線は袋体の幅方向に形成することが好ましい。
【発明を実施するための最良の形態】
【００１０】
請求項２の発明は、開口部の位置の好適実施形態に関し、副収納部の開口部の開口端が、一方の胴部フィルムを寄せて接着するシールテープの下縁近傍に位置している。
また、請求項３の発明は、開口部の位置の他の好適実施形態に関し、副収納部の開口部の開口端が、一方の胴部フィルムを寄せて接着するシールテープの接着下端より上方に位置している。
【００１１】
他方の胴部フィルムに向う横ガゼットの膨らみは、シールテープの接着下端から始まる。合成樹脂製袋体内に物品が収納された状態においては、横ガゼットの膨らみによって、中仕切りフィルムが物品で押圧されている。請求項２及び請求項３の発明では、横ガゼットに膨らみを生じさせないシールテープの接着下端に着目して、副収納部の開口部の開口端を特定の位置に設けている。
副収納部の開口部の開口端をシールテープの下縁近傍に設けることにより、さらには、副収納部の開口部の開口端をシールテープの接着下端より上方に設けることにより、中仕切りフィルムが物品により押圧されても、開口部が物品により塞がれたり、物品により邪魔されたりすることなく、副収納部への物品の投入、及び、副収納部からの物品の取出が容易となる。
【００１２】
特定形態の合成樹脂製袋体では、中仕切りフィルムが、一方の胴部フィルム及び横ガゼット側の高融点のフィルム層と他方の胴部フィルム側の低融点のフィルム層を備えていることが好ましい。
特定形態とは、例えば、中仕切りフィルムが胴部フィルムの上下中間位置に熱接着され、底縁が袋体の中間に形成されている形態である。このような形態では、中仕切りフィルムの底縁を接着する際に、一方の胴部フィルム及び横ガゼットとは熱接着せず、他方の胴部フィルムに熱接着するように構成しなければならない。そこで、中仕切りフィルムを上記のように表裏で融点の異なるフィルムより構成することで、袋体の周囲を熱接着した後でも、中仕切りフィルムを他方の胴部フィルムに熱接着して、副収納部を形成することができる。
【００１３】
シールテープが雄型チャックと雌型チャックの一方を有するチャック付きシールテープであり、他方の胴部フィルムには雄型チャックと雌型チャックの一方と咬合可能に雌型チャック又は雄型チャックを有するチャック付きシールテープが一体化されていることが好ましい。
あるいは、シールテープの上方において、雄型チャックと雌型チャックとがそれぞれ表裏の胴部フィルムに接着されて咬合可能となっていてもよい。
【００１４】
以下、図面を参照して本発明による中仕切りフィルムを備えた合成樹脂製袋体の実施形態を説明する。図１〜図３は本発明による合成樹脂製袋体の第１実施形態を示し、図４〜図５は本発明による合成樹脂製袋体の第２実施形態を示している。両実施形態は、本発明によるチャック付き合成樹脂製袋体に関するが、チャック付きに限定されるものではない。
【実施例１】
【００１５】
図１乃至図３に示されるように、第１実施形態の合成樹脂製袋体１００は、表裏の熱接着性胴部フィルム１０２，１０４、一対の熱接着性横ガゼット１０６，１０６、熱接着性中仕切りフィルム１０８、チャック付きシールテープ１１０，１１２より構成される。表裏の胴部フィルム１０２，１０４は、一体のフィルムを上端又は下端で折り返して構成されるものであってもよい。袋体１００の上端をノッチ１１４から開封線１１６に沿って横方向に開封することにより、収納部の物品を取り出すことができるようになっている。
【００１６】
胴部フィルム１０２，１０４は、それぞれ実質的に同じ矩形形状及び同じサイズであり、これらの胴部フィルム１０２，１０４の間には、一対の横ガゼット１０６，１０６、中仕切りフィルム１０８、及び、チャック付きシールテープ１１０，１１２が積層状に配置される。
【００１７】
横ガゼット１０６，１０６は、フィルムをＶ字状に折り込み、それぞれが稜線を平行に対峙させて胴部フィルム１０２，１０４の底縁及びそれぞれの側縁に合せて設けられる。横ガゼット１０６，１０６の上端は、胴部フィルム１０２，１０４の上縁より離間しており、合成樹脂製袋体１００を上部で開封しても、横ガゼット１０６，１０６が引き裂かれることはない。
【００１８】
雄型チャック付きシールテープ１１０は、胴部フィルム１０２の全幅に渡って、横ガゼット１０６，１０６の上端を胴部フィルム１０２に接着する。雌型チャック付きシールテープ１１２は、胴部フィルム１０４に接着されているだけであり、チャック付きシールテープ１１２と胴部フィルム１０４の間には中仕切りフィルム１０８も横ガゼット１０６も挟挿されることはない。雄型チャックと雌型チャックは、逆の関係でもよい。
横ガゼット１０６，１０６の上端をシールテープ１１０によって一方の胴部フィルム１０２に接着することにより、横ガゼット１０６，１０６は、シールテープ１１０の下縁近傍から膨らみを開始する。もっとも、それぞれの横ガゼット１０６において、横ガゼット１０６の外側面同士は互いに接着されていないので、袋体の両側では、シールテープ１１０の若干上方において膨らみを開始する。この横ガゼット１０６，１０６によって袋体１００は大きく膨らむことができ、収納容積が拡大する。
【００１９】
本実施形態の中仕切りフィルム１０８は、他方の胴部フィルム１０４の全幅に渡って袋体１００の側縁に接着するように設けられ、その下縁は胴部フィルム１０４の上下中間位置に接着されている。もっとも、中仕切りフィルム１０８は、他の形態として、胴部フィルム１０４の側縁から離間して、その胴部フィルム１０４に接着されてもよく、また、胴部フィルム１０４の底縁に接着されてもよい。
中仕切りフィルム１０８の上端は、横ガゼット１０６，１０６と同様に、胴部フィルム１０２，１０４の上縁より離間しており、合成樹脂製袋体１００を上部で開封しても、直ちに中仕切りフィルム１０８が引き裂かれることはない。
【００２０】
上記構成により、袋体内部は、一方の胴部フィルム１０２と横ガゼット１０６，１０６と中仕切りフィルム１０８とで区画される主収納部１１８と、他方の胴部フィルム１０４と中仕切りフィルム１０８とで区画される副収納部１２０に分離されている。主収納部１１８には物品が収納され、副収納部１２０には物品に関連する乾燥剤や脱酸素剤、調味料や具、説明書や仕様書等が収納される。
【００２１】
本実施形態の中仕切りフィルム１０８の上端は、胴部フィルム１０４に接着されておらず、副収納部１２０は上方に向う開口部１２２を形成している。中仕切りフィルム１０８は、少なくとも横ガゼット１０６，１０６とは反対側の胴部フィルム１０４に接着されており、横ガゼット１０６，１０６によって開口部１２２が塞がれることがなく、また、開口部が上方に向っているため、副収納部１２０の物品の出入が容易となる。
他の形態として、中仕切りフィルム１０８の上縁を胴部フィルム１０４に接着し、中仕切りフィルム１０８に開封線を設けることで、副収納部１２０に開口部を形成してもよい。この場合、開封線は、上方に向って開口するように、合成樹脂製袋体１００の幅方向に形成する。
【００２２】
副収納部１２０を備えた袋体１００では、この開口部１２２の位置が重要であり、本発明では、中仕切りフィルム１０８の上端の位置、すなわち、開口部１２２の開口端１２４の位置に特徴がある。図１乃至図３の合成樹脂製袋体１００では、開口端１２４が、横ガゼット１０６，１０６の膨らみを抑えるシールテープ１１０の下縁近傍に位置する。
【００２３】
ここで「近傍」とは、横ガゼット１０６，１０６の折り込み幅、内容物の収納量、物品の大きさによっても違ってくるが、横ガゼット１０６，１０６の膨らみによる内圧が中仕切りフィルム１０８の上端に殆ど若しくは全く作用しない程度の位置関係を意味している。横ガゼット１０６，１０６の膨らみによる内圧が中仕切りフィルム１０８の上端に作用している状態にあっては、横ガゼット１０６，１０６の膨らみに覆い隠される状況に置かれる中仕切りフィルム１０８の左右上端は一層胴部フィルム１０４側に押し付けられて、副収納部１２０の物品の出し入れを円滑さを欠くこととなる。
【００２４】
そこで、このように、開口部１２２の開口端１２４が、横ガゼット１０６，１０６の膨らみを抑えるシールテープ１１０の下縁近傍に位置させることで、主収納部１１８の物品が副収納部１２０に混入することが殆どなく、その物品の出入が容易となる。
【００２５】
また、第２実施形態で詳述するが、開口端１２４をシールテープ１１０の接着下端より上方に位置させることがさらに好ましい。これは胴部フィルム１０４に向かう横ガゼット１０６，１０６の膨らみが、実質的にはシールテープの接着下端から始まることにより、例えば、シールテープ１１０が上下全面に渡って接着されている場合は、開口部１２２の開口端１２４をシールテープ１１０の下縁より上方に位置させることにより、物品の出入が容易となる。
【００２６】
この合成樹脂製袋体１００を製造するには、まず、胴部フィルム１０２の上に、一対の横ガゼット１０６，１０６が重ねられる。横ガゼット１０６，１０６の上縁は、チャック付きシールテープ１１０で胴部フィルム１０２に対して封止される。その上に、中仕切りフィルム１０８及びチャック付きシールテープ１１２を予め接着した胴部フィルム１０４が重ねられ、袋体１００の上縁、底縁及び側縁を接着する。しかし、図示されるように、中仕切りフィルム１０８が胴部フィルム１０４の上下中間位置に接着される場合は、中仕切りフィルム１０８が他方の胴部フィルム１０４に接着される際に、不必要な部位まで接着されることを避けなければならない。
【００２７】
本実施形態では、中仕切りフィルム１０８を表裏融点差のある複層フィルムより形成し、他方の胴部フィルム１０４側のフィルムが低融点のフィルム層より構成されている。
図２に示されるように、中仕切りフィルム１０８は、一方の胴部フィルム１０２及び横ガゼット１０６側の高融点熱接着性フィルム層１２６と、他方の胴部フィルム１０３側の低融点熱接着性フィルム層１２８を備えている。こうすることにより、まず、合成樹脂製袋体１００の上縁、底縁及び側縁を高温で熱接着し、その後、中仕切りフィルム１０８の底縁に相当部位を低温で熱接着することにより、中仕切りフィルム１０８が横ガゼット１０６，１０６や一方の胴部フィルム１０２に不必要な部分で接着することなく、副収納部１２０を形成することができる。
【実施例２】
【００２８】
図４及び図５は、本発明による合成樹脂製袋体の第２実施形態を示している。本実施形態の合成樹脂製袋体２００は、表裏の胴部フィルム２０２，２０４、一対の横ガゼット２０６，２０６、中仕切りフィルム２０８、シールテープ２１０及び雄雌咬合式チャック２１２，２１３より構成される。表裏の胴部フィルム２０２，２０４は、一体のフィルムを上端又は下端で折り返して構成されるものであってよい。ノッチ及び開封線の構成は、第１実施形態と同じである。
【００２９】
胴部フィルム２０２，２０４は、それぞれ実質的に同じ矩形形状及び同じサイズであり、これらの胴部フィルム２０２，２０４の間には、一対の横ガゼット２０６，２０６、中仕切りフィルム２０８が、積層状に配置される。本実施形態のシールテープ２１０は、雄雌咬合式チャック２１２，２１３と別体であり、横ガゼット２０６，２０６の上縁を一方の胴部フィルム２０２に接着する。
【００３０】
横ガゼット２０６，２０６は、第１実施形態と実質的に同じであり、フィルムをＶ字状に折り込み、それぞれが稜線を平行に対峙させて胴部フィルム２０２，２０４の底縁及びそれぞれの側縁に合せて設けられる。横ガゼット２０６，２０６の上端は、胴部フィルム２０２，２０４の上縁より離間しており、合成樹脂製袋体２００を上部で開封しても、横ガゼット２０６，２０６が引き裂かれることはない。
【００３１】
シールテープ２１０は、胴部フィルム２０２の全幅に渡って、横ガゼット２０６，２０６の上端を胴部フィルム２０２に接着する。シールテープ２１０の上方において、雄型チャック２１２及び雌型チャック２１３がそれぞれ胴部フィルム２０２，２０４に接着される。雄型チャックと雌型チャックは、逆の関係でもよい。この構成により、第１実施形態と同様に、横ガゼット２０６，２０６は、シールテープ２１０の下縁近傍から膨らみを開始する。
【００３２】
本実施形態の中仕切りフィルム２０８は、他方の胴部フィルム２０４の全幅に渡って設けられ、その下縁は胴部フィルム２０４の底縁に接着されている。中仕切りフィルム２０８の上端は、横ガゼット２０６，２０６と同様に、胴部フィルム２０２，２０４の上縁より離間しており、合成樹脂製袋体２００を上部で開封しても、直ちに中仕切りフィルム２０８が引き裂かれることはない。この中仕切りフィルム２０８と他方の胴部フィルム２０４の間に副収納部が形成される。
【００３３】
本実施形態の中仕切りフィルム２０８の上端は、胴部フィルム２０４に接着されておらず、副収納部は上方に向う開口部２１４を形成している。中仕切りフィルム２０８は、表裏の胴部フィルム２０２，２０４及び横ガゼット２０６，２０６とともに底縁において接着されている。横ガゼット２０６，２０６によって開口部２１４が塞がれることがなく、また、開口部が上方に向っているため、副収納部の物品の出入は容易となる。また、第１実施形態の合成樹脂製袋体１００において説明したように、開封線を設けることで、副収納部に開口部を形成してもよい。
【００３４】
副収納部の開口部２１４の開口端２１６は、シールテープ２１０の接着下端より上方に位置している。主収納部に物品を投入すると、横ガゼット２０６，２０６の作用により、袋体２００は表裏方向に大きく膨らむ。このとき、中仕切りフィルム２０８は主収納部の物品によって他方の胴部フィルム２０４側に押圧される。開口部２１４の開口端２１６が、横ガゼット２０６，２０６の膨らみを抑えるシールテープ２１０の接着下端より上方に位置することで、横ガゼット２０６，２０６によって袋体２００が膨らんでも、物品が副収納部に混入することが殆どなく、しかも、開口端２１６が物品に邪魔されることもなく、物品によって押圧されることもないので、副収納部への物品の出入が極めて容易となる。
【００３５】
本発明は以上詳述したように、横ガゼットがシールテープによって一方の胴部フィルムに寄せられ、横ガゼットが接着する一方の胴部フィルムとは反対側の他方の胴部フィルムに中仕切りフィルムが接着し、副収納部の開口部を上方に向って形成したので、袋体自体の開口部から副収納部への物品の投入、及び、副収納部からの物品の取出が容易となる。
【図面の簡単な説明】
【００３６】
【図１】本発明による合成樹脂製袋体の第１実施形態を示す平面図である。
【図２】図１の合成樹脂製袋体の要部断面図である。
【図３】図１の合成樹脂製袋体における物品収納状態の斜視図である。
【図４】本発明による合成樹脂製袋体の第２実施形態を示す平面図である。
【図５】図４の合成樹脂製袋体の要部断面図である。
【図６】仮想的に横ガゼットと中仕切りフィルムとの両方を備えた袋体の物品収納状態の斜視図である。
【符号の説明】
【００３７】
１００，２００  合成樹脂製袋体
１０２，１０４，２０２，２０４  胴部フィルム
１０６，２０６  横ガゼット
１０８，２０８  中仕切りフィルム
１１０，２１０  シールテープ
１１８  主収納部
１２０  副収納部
１２２，２１４  副収納部の開口部
１２４，２１６  開口部の開口端
【図１】
2005170485.tif 000003
【図２】
2005170485.tif 000004
【図３】
2005170485.tif 000005
【図４】
2005170485.tif 000006
【図５】
2005170485.tif 000007
【図６】
2005170485.tif 000008